(57)【要約】      （修正有）【課題】大型のルアーに適する釣針カバーにおいて、釣針の大小、及び／又は、本数等には左右されなく、汎用性のある釣針カバーを提供する。【解決手段】ルアーＢに設けた数本の針をカバーするカバー部１を備えた可撓性素材でなる釣針カバーで、カバー部は、枝部と、枝部より延設した本体部とで構成するとともに、枝部に設けた第１・第２孔と、本体部に設けた第３孔と、連結部に設けた第４孔で構成した釣針カバーである。第１〜第３孔を利用して、釣針をカバーできることと、不使用時は、枝部に設けた連結部と、本体部に設けた係止球で、釣竿に係止できる。【選択図】図４−２
0003184255.tif 000002
【実用新案登録請求の範囲】
【請求項１】
ルアーに設けた一本、又は数本の針をカバーするカバー部を備えた可撓性素材でなる釣針カバーであって、
このカバー部は、枝部と、この枝部より延設した本体部とで構成するとともに、前記枝部に設けた第１・第２孔と、前記本体部に設けた第３孔とで構成した釣針カバー。
【請求項２】
請求項１に記載の釣針カバーであって、
前記第１・第２孔が筒状孔で、第３孔が切条溝とする構成とした釣針カバー。
【請求項３】
請求項１に記載の釣針カバーであって、
前記第１・第２孔の筒状孔は、円柱弓状でなる枝部の両自由端に開口し、また、前記第３孔の切条溝は、前記棒状でなる本体部の自由端の長手方向に形成した切条とする構成とした釣針カバー。
【請求項４】
請求項１に記載の釣針カバーであって、
前記枝部より延設した本体部との間に、環状でなる連結部を介して延設するとともに、この本体部の自由端に、係止球を設ける構成とした釣針カバー。
【請求項５】
請求項４に記載の釣針カバーであって、
前記係止球体の一面側を平坦面とする構成とした釣針カバー。
【考案の詳細な説明】
【技術分野】
【０００１】
本考案は、大型のルアーに適する釣針カバーを主体とする。但し、その他のルアー、又はルアーに付加された、釣針の大小、及び/又は、本数等には、左右されない構造であって、所謂、汎用性の釣針カバーに関する。
【背景技術】
【０００２】
本出願人は、既に、実用新案登録第３１７６４２５号公報に記載のルアーの針カバーを提案している（先願とする）。本考案は、先願を進化させた構造であり、その特異性は、後述する。
【０００３】
また、市場で見られる、ルアーの釣針カバーは、下記に示した、従来文献に基づくものと考えられる。その構造は、複数の釣針を個別にカバーする構造と、纏めてカバーする構造がある。その一例を挙げると、実用新案登録第３０３７３４５号公報（文献１とする）に記載の構造と、実用新案登録第３１１３１７４号公報（文献２とする）に記載の構造、又は、実用新案登録第３０６３３７１号公報（文献３とする）に記載の構造とかがある。
【０００４】
この文献１は、複数の釣針を、立体形状でなる鉤覆部で覆い隠す（カバー）するとともに、釣針に付いている海水、淡水の水を排除可能とする構造である。また、文献２は、複数の釣針を、立体形状でなる針収容部で安全に収容（カバー）する構造である。文献３は、開閉自在の袋形状のカバー内に、複数の釣針を、一体に収容する構造である。
【０００５】
文献１〜３の考案（文献考案）は、複数の釣針を、複数の鉤覆部、又は収容部に、それぞれ個別に収容する構造と、或いはカバーに同時に収容する構造である。文献考案は、何れも、立体形状でなることから嵩張るので、単独で釣針カバーとして利用するには、それ程、問題でない。しかし、釣具箱、ポケット等に収容する際、邪魔となり、また、他の釣用具を保持する等の際には、嵩張ることは好ましくない。殊に、移動時、使用しない状況では、嵩張ることは、好ましくなく、かつ煩わしい等の改良点がある。
【０００６】
【特許文献１】実用新案登録第３０３７３４５号公報
【特許文献２】実用新案登録第３１１３１７４号公報
【特許文献３】実用新案登録第３０６３３７１号公報
【考案の概要】
【考案が解決しようとする課題】
【０００７】
上記に鑑み、本考案は、下記に示した意図を達成する。
［イ］  カバー部は、枝部に設けた第１・第２孔と、枝部より延設した本体の自由端に設けた第３孔とで構成した釣針カバーであって、板形状であって、使用時には、本体を折曲状態とする構造であり、嵩張らず、かつ収容に重宝する。
［ロ］  カバー部は、板形状であって、使用時には、本体を折曲状態とする構造であり、嵩張らず、かつ竿、持ち手、衣服等の棒材、帯材等に取付け保持でき、収容に重宝する。
［ハ］  カバー部は、可撓性を備えており、ポケットに折畳み収容でき、コンパクトに収容できること、また嵩張らないこと、等の実用性を備える。
［ニ］  第１〜第３孔を利用し、三本の釣針を、収容できること、また、この三本の釣針の形状に沿った形に、カバー部を変形できること、並びに仮に三本の釣針が変位しても対応できること、等の実用性を備える。
［ホ］  カバー部の本体部に、環状でなる連結部と、係止球を設けることで、前記［ロ］と［ハ］を達成できる。
［ヘ］  係止球体の一面側を平坦面とすることで、平面においても、ずり落ちない利点がある。
【課題を解決するための手段】
【０００８】
本考案は、前述した[イ〜[ヘ]を達成するために、請求項１〜請求項５を提供する。
【０００９】
請求項１の考案は、ルアーに設けた一本、又は数本の針をカバーするカバー部を備えた可撓性素材でなる釣針カバーであって、
このカバー部は、枝部と、この枝部より延設した本体部とで構成するとともに、前記枝部に設けた第１・第２孔と、前記本体部に設けた第３孔とで構成した釣針カバーとする。
【００１０】
請求項２の考案は、請求項１に記載の釣針カバーであって、
前記第１・第２孔が筒状孔で、第３孔が切条溝とする構成とした釣針カバーとする。
【００１１】
請求項３の考案は、請求項１に記載の釣針カバーであって、
前記第１・第２孔の筒状孔は、円柱弓状でなる枝部の両自由端に開口し、また、前記第３孔の切条溝は、前記棒状でなる本体部の自由端の長手方向に形成した切条とする構成とした釣針カバーとする。
【００１２】
請求項４の考案は、請求項１に記載の釣針カバーであって、
前記枝部より延設した本体部との間に、環状でなる連結部を介して延設するとともに、この本体部の自由端に、係止球を設ける構成とした釣針カバーとする。
【００１３】
請求項５の考案は、請求項４に記載の釣針カバーであって、
前記係止球体の一面側を平坦面とする構成とした釣針カバーとする。
【考案の効果】
【００１４】
請求項１は、ルアーに設けた一本、又は数本の針をカバーするカバー部を備えた可撓性素材でなる釣針カバーであって、
カバー部は、枝部と、枝部より延設した本体部とで構成するとともに、枝部に設けた第１・第２孔と、本体部に設けた第３孔とで構成した釣針カバーである。
【００１５】
請求項２は、請求項１に記載の釣針カバーであって、
第１・第２孔が筒状孔で、第３孔が切条溝とする構成とした釣針カバーである。
【００１６】
従って、請求項１・２の考案は、下記の特徴がある。
［イ］  カバー部は、枝部に設けた第１・第２孔と、枝部より延設した本体の自由端に設けた第３孔とで構成した釣針カバーであって、板形状であって、使用時には、本体を折曲状態とする構造であり、嵩張らず、かつ収容に重宝となる。
［ロ］  カバー部は、板形状であって、使用時には、本体を折曲状態とする構造であり、嵩張らず、かつ竿、持ち手、衣服等の棒材、帯材等に取付け保持でき、収容に重宝となる。
［ハ］  カバー部は、可撓性を備えており、ポケットに折畳み収容でき、コンパクトに収容できること、また嵩張らないこと、等の実用性を備える。
【００１７】
請求項３は、請求項１に記載の釣針カバーであって、
第１・第２孔の筒状孔は、円柱弓状でなる枝部の両自由端に開口し、また、第３孔の切条溝は、棒状でなる本体部の自由端の長手方向に形成した切条とする構成とした釣針カバーである。
【００１８】
従って、請求項３の考案は、上記[イ]〜[ハ]の他に、下記の特徴がある。
［ニ］  第１〜第３孔を利用し、三本の釣針を、収容できること、また、この三本の釣針の形状に沿った形に、カバー部を変形できること、並びに仮に三本の釣針が変位しても対応できること、等の実用性を備える。
【００１９】
請求項４は、請求項１に記載の釣針カバーであって、
枝部より延設した本体部との間に、環状でなる連結部を介して延設するとともに、本体部の自由端に、係止球を設ける構成とした釣針カバーである。
【００２０】
従って、請求項４の考案は、上記[イ]〜[ハ]の他に、下記の特徴がある。
［ホ］  カバー部の本体部に、環状でなる連結部と、係止球を設けることで、前記［ロ］と［ハ］を達成できる。
【００２１】
請求項５は、請求項４に記載の釣針カバーであって、
係止球体の一面側を平坦面とする構成とした釣針カバーである。
【００２２】
従って、請求項５の考案は、上記[イ]〜[ハ]の他に、下記の特徴がある。
［ヘ］  係止球体の一面側を平坦面とすることで、平面においても、ずり落ちない利点がある。
【図面の簡単な説明】
【００２３】
【図１】本考案の釣針カバーの正面図
【図２】本考案の釣針カバーの背面図
【図３】図１のＡ−Ａ’断面図
【図４−１】ルアーの釣針を、本考案の釣針カバーでカバー（隠蔽）する状態を示しており、（ａ）は、第１・第２針を針先から、枝部の第１・第２孔に差入れる（差込む）状態の縮尺斜視図、（ｂ）は、第３針に、本体部の第３孔を差入れる状態の縮尺斜視図
【図４−２】ルアーの釣針を、本考案の釣針カバーでカバーする状態を示した縮尺斜視図
【図５−１】本考案の釣針カバーを釣竿に、係止した状態の縮尺斜視図
【図５−２】本考案の釣針カバーを釣具（収容）箱に、係止した状態の縮尺斜視図
【考案を実施するための形態】
【００２４】
図１、図２において、可撓性素材（可撓性樹脂、例えば、シリコン樹脂）でなるカバー部１は、円柱弓状でなる枝部２と、この枝部２の弓状の中心から図示しない的の方向に向かって延設した円柱柱状の本体部３と、この本体部３の自由端の係止球５とで構成する。この枝部２の自由端２ａ、２ｂには、釣針Ａの第１・第２針Ａ１、Ａ２を差入れる筒状の第１・第２孔２００ａ、２００ｂ（第１・第２差込孔）が、適宜の深さで形成されている。また、本体部３の自由端３ａには切条溝でなる第３針Ａ３を差入れる第３孔３００（第３差込孔）が形成されている。この本体部３の自由端３ａには球体形状の係止球５が形成されるが、図２に示した如く、裏面（一例である）は平坦面５００となっている。枝部２、本体部３と係止球５は、円柱形状が理想であるが、図示しないが、角柱形状とか、他の形状でも可能である。
【００２５】
また、枝部２と本体部３との間には、環状の連結部６が形成されており、この連結部６は、係止球５の差込みができ、かつ図４−１〜図５−２に示した如く、本体部３の曲りと、しなやかな曲りを可能とする。さらに、連結部６は、枝部２との連繋、並びに本体部３の曲り状態の姿勢確保、及び／又は、本体部３／係止球５に対する、衝撃等にも対応可能とする。連結部６は、環状で円柱形状が理想であるが、環状で角柱形状とか、方形形状で円柱形状・角柱形状も可能である。係止球５に平坦面５００を設ける特徴は、防滑と、連結部６への差込容易とか、球体面積、及び／又は、材料節約等を意図する。
【００２６】
以下、図４−１（ａ）、（ｂ）、図４−２に示した使用とか、保持等の各状態を説明する。図４−２に示した、大型のルアーＢ（一例である）の前後にある、それぞれの第１〜第３針Ａ１〜Ａ３をカバーするには、（ａ）の如く、本体部３の第３孔３００が上面側に位置した状態で、第１・第２針Ａ１、Ａ２を針先から、枝部２の第１・第２孔２００ａ、２００ｂに差入れる（差込む）。続いて、（ｂ）の如く、この第３孔３００を、第３針Ａ３を覆うようにして、差入れる。このような順序で、図４−２の如く、ルアーＢの第１〜第３針Ａ１〜Ａ３を、本考案の釣針カバー１でカバーする。
【００２７】
その他の例は、図示しないが、本体部３の第３孔３００が下面側に位置した状態で、図４−１（ａ）の如く、第１・第２針Ａ１、Ａ２を針先から、枝部２の第１・第２孔２００ａ、２００ｂに差入れる（差込む）。その後、第３針Ａ３を、本体部３の第３孔３００に差入れるが、その前に、図示しないが、本体部３の下端側を捻り、自由端３ａに設けた第３孔３００が、第３針Ａ３の上面側とし、（ｂ）の如く、この第３孔３００を、第３針Ａ３を覆うようにして、差入れる。このような順序で、図４−２の如く、ルアーＢの第１〜第３針Ａ１〜Ａ３を、本考案の釣針カバー１でカバーする。この例では、本体部３の下端側を、捻ることで、カバーの安定性が確保されることと、外れる心配がない。この捻りは、可撓性素材の特徴である。
【００２８】
また、図５−１、図５−２は、釣針カバーが不要となった場合の取扱に関して、その一例を示すものであり、図５−１は、釣針カバーを釣竿Ｃに、係止した状態の縮尺斜視図で、また、図５−２は、釣針カバーを釣具（収容）箱「ケース」Ｄに、係止した状態の縮尺斜視図である。これらの例では、釣竿Ｃの適所に、本体部３を捲装し、連結部６の第４孔６００（第４差込孔）に係止球５を差込み支持する。また、釣具箱Ｄの紐、帯等に同様に係止する。図示しないが、その他の棒材、杆・管材、その他の紐、帯等に、同様にして係止することは可能であり、紛失せず、また、収容・保管、取扱い等に対する利便性がある。
【００２９】
前述した各構造は、本考案の好ましい一例の説明である。従って、本考案は上述した各実施例に限定されるものではなく、高孔、工夫の趣旨の範囲において構成の一部を変更する構造とか、同じ特徴と効果を達成できる構造、等は、本考案の範疇である。
【符号の説明】
【００３０】
１          カバー部
２          枝部
２ａ        自由端
２ｂ        自由端
２００ａ    第１孔
２００ｂ    第２孔
３          本体部
３ａ        自由端
３００      第３孔
５          係止球
５００      平坦面
６          連結部
６００      第４孔
Ａ          釣針
Ａ１        第１針
Ａ２        第２針
Ａ３        第３針
Ｂ          ルアー
Ｃ          釣竿
Ｄ          釣具箱「ケース」
【図１】
0003184255.tif 000003
【図２】
0003184255.tif 000004
【図３】
0003184255.tif 000005
【図４−１】
0003184255.tif 000006
【図４−２】
0003184255.tif 000007
【図５−１】
0003184255.tif 000008
【図５−２】
0003184255.tif 000009